(57)【特許請求の範囲】
【請求項１】
口部外周に係合用の凸条を有する容器に装着して用いる、合成樹脂製の中栓（１）及び外蓋（２）が螺合して成るキャップ（３）；前記中栓（１）に上壁（４）を介して一体に設けられた、前記凸条に上下方向に圧接係止する突条（５）を有する筒部（６）；該筒部（６）の下端部（７）から上方に向けて形成された、前記突条（５）と上下に交る弱化ライン（８）；該筒部６又は前記上壁（４）において、周方向に形成された、前記弱化ライン８に連続する弱化線（９）；前記筒部（６）に設けられた、前記弱化ライン（８）及び前記弱化線９を裂切る摘持片（１０）；前記筒部（６）の前記摘持片（１０）の下方に設けられたローレット（１１）；から成る中栓の強い把持の可能な分別回収キャップ。
【請求項２】
摘持片（１０）は筒部（６）に形成された周方向に凹状の穴（１０ａ）により、相対的に形成されている請求項１記載の、中栓の強い把持の可能な分別回収キャップ。
【請求項３】
弱化線（９）は、上壁（４）外周端（１５）と筒部（６）上端（１６）の間に形成された段部（１７）と、筒部（６）と上壁（４）の内側接続部（１８）の間に薄肉状に形成されている請求項１又は２記載の中栓の強い把持の可能な分別回収キャップ。
【請求項４】
弱化線（９）は上壁（４）内面に形成された逆溝（１９）により薄肉状に形成されている請求項１、２、又は３記載の中栓の強い把持の可能な分別回収キャップ。
【請求項５】
中栓（１）はこれを装着する容器の内容品の通行を遮断する、無端状の裂溝（２４）を形成した遮断壁（２５）を有し、かつ該遮断壁（２５）上に裂取部材（２６）を有する請求項１、２、３又は４記載の中栓の強い把持の可能な分別回収キャップ。
【発明の詳細な説明】
【０００１】
【発明の属する技術分野】
この発明は容器の口部に装着して用いるキャップに関し、特に容器及び又はキャップの分別回収が容易にでき、しかも製造の際に、中栓を強く把持することができ、これによって容易に製造できる中栓の強い把持の可能な分別回収キャップに関するものである。
【０００２】
【従来の技術】
この発明の出願人はさきに図１８及び図１９に示すような王冠を考案し、意匠登録を行った。（登録番号７９６３５３の類似１）この王冠は合成樹脂製の中栓１に同外蓋２を螺合させたものであり、前記中栓１は筒部６を有し、同筒部６の内側に、図示しない容器の口部外周に形成された凸条に圧接係止する突条５を有しており、容器の口部に装着する際に、図示のように中栓１に外蓋２を螺合した状態で、前記容器の上方から図示しない打栓機により打撃し、前記突条５を、前記容器口部の凸条下側を圧接係合させ、このようにすることにより、一度の打撃で、全体を簡単に装着することができるようになっている。
【０００３】
【発明が解決しようとする課題】
しかし上記のような、打栓機により一度の打撃で簡単に装着できる王冠は次に述べるような問題を有している。
それはこの王冠を装着した容器において、内容品の消費後その容器及び又は王冠を資源として回収する場合に、前記突条５が、図示しない容器口部の凸条と圧接係合しているため、簡単には分離できないのである。
この発明は上記のような問題を解決し、上記のような、中栓に外蓋が螺合させらられており、かつ筒部６の突条５が容器の口部の凸条と圧接係合する形式のキャップにおいて、容器及び又は該キャップを分別回収する際に、きわめて容易に分離することのできるキャップを提供することである。
次にこの発明の他の目的について述べる。
【０００４】
この発明の発明者は上記問題を図１６及び図１７に示すような構成とすることにより解決した。即ち、前記王冠と同様な構成を有するキャップ３において、その筒部６に、前記突条５と上下方向に交叉する弱化ライン８を形成し、又該弱化ライン８の上部と連続する周方向の弱化線９を形成し、かつ前記筒部６に前記弱化ライン８及び弱化線９を裂切る摘持片１０を設けたものである。なお後記するように弱化ライン８を２本併設したものにおいては、図９、図１０に示すように周方向の弱化線を省略した。
但し図５、図６、及び図７、図８に示すように省略することなく弱化ライン８、８、間に形成してもよいことは勿論である。
【０００５】
そして、前記のように構成したことにより、容器内容品を消費して、その容器及び又はキャップを分別回収する場合、前記摘持片１０を摘み、外側に引っ張ることにより、前記弱化ライン８及び弱化線９は裂切れ、前記突条５の、図示しない容器の凸条に対する圧接係合は緩むから、容易に容器からキャップ３を外すことができるのである。
しかし上記のようにして問題の解決されたキャップは、予期しない他の問題を有していた。それは中栓１に外蓋２を螺合する場合、図１５に示すようにして行うのである。即ち外蓋２を、上下を逆にして、第１治具１０１により保持し、その上から中栓１を、第二治具１０２により保持し、螺合させるのである。
前記第一治具１０１は図示のように負圧による吸着装置１０１ａを有する常盤１０１ｂ上に、金属筒を軸方向に二つ割り又は三つ割りして、内側にゴム、合成樹脂、皮革等の柔軟層１０１ｃを設けて形成された部材を半径方向内方及び外方に移動自在に形成したものであり、その作動装置は図示を省略する。
【０００６】
又前記第二治具１０２の、１０３は金属により形成された円筒状の中押え部材、１０４はゴム製の外押え部材であり、同外押え部材１０４は円筒体を軸方向に二つ割り又は三つ割りに形成し、それらの二つ割り又は三つ割りした割り部材はそれぞれ半径方向内方及び外方に移動できるようになっている。そしてこの両者１０３、１０４により挟持するようになっている。なお第二治具１０２を作動させる装置についてはこの発明の要部ではないので図示及び説明を省略する。
【０００７】
そして同図に示すような場合、第二治具１０２の、筒部６保持の面積は、前記摘持片１０の存在のためにごく少なくなることが避けられない。このため第二治具１０２は充分強く中栓１を把持できない。外蓋２に中栓１を螺合する場合、螺合には一例として１０kgf-cm 程度のトルクを要するが、上記のように把持面積の小さい場合、到底そのような高いトルクを与える把持ができず、従って中栓１と外蓋２の固い螺合ができないという問題が派生した。
【０００８】
なおこの問題は図１１に示すような摘持片１０を、筒部６に形成した穴１０ａにより相対的に形成したものにおいても同様であった。その理由は、同図に示す摘持片１０は内側に容器口部を押す突起が設けてあり、これにより摘持片１０の先端部が筒部６より外方に突出して摘み易く形成されている場合が多く、このため殆ど、図１に示す摘持片１０と同様な問題となるのである。
【０００９】
この発明は前記問題の解決のためには上記のような派生した問題も併せて解決しなければならなかった。
このため他の目的として、中栓１に外蓋２が螺合させられるキャップにおいて、前記中栓１の筒部６に、弱化ライン８が形成されており、この弱化ライン８を裂切る手段が構成されているキャップにおいて、上記中栓１を強く把持の可能な、分別回収キャップを提供することである。
【００１０】
【課題を解決するための手段】
前記の二つの目的を同時に達成するこの発明について述べるとそれは、口部外周に係合用の凸条を有する容器に装着して用いる、合成樹脂製の中栓１及び外蓋２が螺合して成るキャップ３；前記中栓１に上壁４を介して一体に設けられた、前記凸条に上下方向に圧接係止する突条５を有する筒部６；該筒部６の下端部７から上方に向けて形成された、前記突条５と上下に交る弱化ライン８；該筒部６又は前記上壁４において、周方向に形成された、前記弱化ライン８に連続する弱化線９；前記筒部６に設けられた、前記弱化ライン８及び前記弱化線９を裂切る摘持片１０；前記筒部６の前記摘持片１０の下方に設けられたローレット１１；から成る中栓の強い把持の可能な分別回収キャップである。
【００１１】
又、摘持片１０は筒部６に形成された周方向に凹状の穴１０ａにより、相対的に形成されている前記中栓の強い把持の可能な分別回収キャップである。
【００１２】
又、弱化線９は、上壁４外周端１５と筒部６上端１６の間に形成された段部１７と、筒部６と上壁４の内側接続部１８の間に薄肉状に形成されている前記中栓の強い把持の可能な分別回収キャップである。又、弱化線９は上壁４内面に形成された逆溝１９により薄肉状に形成されている前記中栓の強い把持の可能な分別回収キャップである。
又、中栓１はこれを装着する容器の内容品の通行を遮断する、無端状の裂溝２４を形成した遮断壁２５を有し、かつ該遮断壁２５上に裂取部材２６を有する前記中栓の強い把持の可能な分別回収キャップである。
【００１３】
【発明の実施の形態】
図１及び図２において１は合成樹脂、一例としてポリエチレン製の中栓であり、同中栓１に螺合させて合成樹脂、一例としてポリプロピレン製の外蓋２が設けられ、キャップ３が形成されている、そして前記中栓１には上壁４を介して筒部６が設けられ、同筒部６の内側に、図１３に示すような、容器２８口部２９の外周に設けられた凸条３０に、上下方向に圧接係合する突条５が設けられている。８は前記筒部６に、その下端部７から上方に向けて設けられ、前記突条５と交叉する弱化ラインであり、具体的には溝状の薄肉部である。但しこれは薄肉部の外ミシン目、連続した小孔、又はそれらの組合わせ等強度的に弱化されたラインであればよく、この発明においてはそれらすべてを含むものである。
【００１４】
そして上記溝状の薄肉部は筒部６の外側に形成されたが、内側に形成されていてもよい。
この弱化ライン８は、前記上壁４又は筒部６に形成された弱化線９に連続させられている。なお前記弱化ライン８はこれを裂切ることにより前記突条５が裂切れるようになっている。
次に１０は前記弱化ライン８及び弱化線９を裂切るための摘持片であり、基端部１０ｂが前記筒部６の前記弱化ライン８及び弱化線９の近傍又は両者８、９に連続して設けられている。そして前記摘持片１０は図１、図２より理解されるように筒部６の周方向に、裂切り易い連結片１２により設けられている。この摘持片１２を外方に引っ張ることにより、前記弱化ライン８及び弱化線９は裂切られるようになっている。
【００１５】
次に１１は前記筒部５に設けられたローレットであり、図１においては前記摘持片１０の下方に設けられているが、これは、図示は省略するが、摘持片１０の形成されてない部分１３においては上下端全長に亘り形成されていてもよい。この中栓１は前記のように筒部６にローレット１１を形成したことにより、同ローレット１１上から前記第２治具１０２の外押え部材１０４を用い、かつ中押え部材１０３により筒部６内側から挟持することにより充分に強い機械的把持ができるのである。従って外蓋２に固く螺合することができる。なお図２において３１は内筒、３２は螺筒、３３は注筒を示す。又螺筒３２と注筒３３は図示のように連続せずに、図示は省略するが、別に設けられていてもよい。２５は注筒３３より内側に設けられた遮断壁であり、無端状の裂溝２４を有し、かつ遮断壁２５上には裂取部材２６が設けられている。
【００１６】
又３４は外蓋２の蓋外筒、３５、３６は共に螺条、３７は頂壁、３８は筒状の中足であり、これにより前記注筒３３に密接するようになっている。中栓１に外蓋２を螺合する場合、図１５に示すように外蓋２を上下逆にして第一治具１０１で把持し、第二治具１０２の外押え部材１０４で中栓１の筒部６の、ローレット１１の上から、かつ中押え部材１０３で内側から挟持し、前記外蓋２に螺合させる。この場合筒部６にはローレット１１が形成されているため、この部分は摩擦力が増大させられてあり、把持面積が少ないにもかかわらず、強く第二治具１０２によって把持することができ、中栓１に螺合に充分なトルクを与えることができ、固く螺合できる。このキャップを装着した容器において、消費者等は裂取部材２６を引っ張り、裂溝２４を裂切り、通口を形成し、図示しない容器の内容を注出して用いる。この容器、又はキャップ３を回収する場合は摘持片１０を外側に引っ張る。そうすると弱化ライン８、弱化線９が裂切れ、前記突条５は裂切れ、容器口部の凸条に対する突条５の圧接係合は緩ませられる。従って、このキャップ３を容易に容器から取り去ることができる。
【００１７】
次に図３、図４に示すものは、前記の機械的把持のためのローレット１１形成に替えて前記筒部６に前記摘持片１０を囲むスペーサ１４を、裂切り易い連結片１２によって設けたものである。そしてこの場合前記スペーサ１４の高さは前記摘持片１０と同一に形成され、かつ外径は前記摘持片１０の外径と同一に形成される。この中栓１を外蓋２に螺合する場合、前記第二治具１０２の外押え部材１０４は、前記摘持片１０及びスペーサ１４の各外側に圧接し、中押え部材１０３は従来同様に筒部６の内側を押える。この場合外押え部材１０４の圧接する部分は筒部６より大径となるため接触面積は大きくなり、かつ又大径となるため一層大きいトルクを与える把持が可能となる。これにより中栓１を充分強く把持することができ、外蓋２との螺合を固く行うことができる。
このキャップ３を容器から分離する場合はスペーサ１４を摘み、外側に引っ張り、連結片１２を裂切り、同スペーサ１４を廃棄し、次に適持片１０を引っ張り、弱化ライン８、弱化線９を裂切り、前記突条５の圧接を緩めればよい。
【００１８】
なお消費者等の使用の際は、図１、図２に示すものと同様にするのである。
次に、図５、図６に示すものは、前記筒部６に、前記突条５と交る２本の弱化ライン８、８を形成し、かつ筒部６の外側でかつ下部に、同心状にプルリング２２を位置させ、このプルリング２２と前記弱化ライン８、８の間のはざま２０とを接続部２１を介して連結させ、前記はざま２０以外の部分と前記プルリング２２を裂切り易い連結片１２によって連結したものである。中栓１を外蓋２に螺合する場合は前記プルリング２２の外側から、第二治具１０２の外押え部材１０４を圧接させ、中押え部材１０３を筒部６内側から圧接させ、挟持して把持し、螺合する。即ちこのように形成したことにより、図３、図４に示すものと同様な理由により中栓１を強く把持でき、外蓋２と固く螺合させることができる。このキャップ３を容器から分離させる場合は、プルリング２２の、前記はざま２０に該当する部分の後側に位置する部分を掴み、前記連結片１２を裂切りながら上方に引き上げ、（この場合外蓋３は予め外しておく）かつ中栓１の上方に至り、これを上方に引っ張ることにより、前記弱化ライン８、８は裂切られ、従って突条５は２箇所にて裂き切られ、これにより容器口右の凸条との係止は緩み、このキャップを容器から容易に取り去ることができる。
【００１９】
消費者等による使用は、図１、図２に示すキャップと同様に行なえばよい。
次に、図７、図８に示すものは、前記図５、図６に示すものと殆どの構成は同様であるが、弱化ライン８、８の各下端に切欠き２３が形成されている点において異なる。このため前記図５、図６において述べたようにプルリング２２を上方に引っ張ると前記切欠き２３のため、前記突条５の部分は２箇所で容易に裂切られ、ついで筒部６も２箇所で切断される。
このため突条５の図示しない容器の凸条に対する圧接は緩むから、容易に容器から取り外すことができる。なおこのキャップの外蓋２に対する螺合は前記図５、図６に示すものと同様にして中栓１を強く把持することができ、従って外蓋２に対して固く螺合できる。
【００２０】
次に図９、図１０に示すものは前記の図５、図６に示すキャップにおいて、弱化線９が、前記はざま２０の部分で周方向に、かつ弱化ライン８、８に接続して設けられているものである。
このように形成されたものは、前記図５、図６の説明において述べたようにプルリング２２の、前記接続部２１の後側に当る部分を掴み、連結片１２を裂切りながら上方に引き上げ、外蓋３を外し、中栓１の上方を越して前記接続部２１の側に至り、そのプルリング２２を次に下方に引き下げることにより、はざま２０の部分を裂き切ることができる。又その場合プルリング２２が、図示は省略するが筒部６の下部に位置している場合には上方に引き上げればよい。このようにすることにより容易にはざま２０の部分だけでなく弱化線９を切ることができ、容易に突条５を裂切ってこのキャップ３を容器から分離できる。又、図５、図６に示すものと同様な理由で中栓を強く把持でき、従って外蓋２と固く螺合できる。
【００２１】
次に図１１に示すものは、図１、図２に示すものにおいて摘持片１０の形式を変え、筒部６に形成したほぼ、く字状の、凹状の穴１０ａにより相対的に形成したものであり、このように形成してもよい。なおこの場合弱化ライン８と弱化線９は直接には連続してなく、穴１０ａにより間接に連続させられている。このような形式も連続の構成に含まれる。なお筒部６にローレット１１が形成され、第二治具１０２の外押え部材１０４は前記ローレット１１の表面から、中押え部材１０３は筒部６の内側から、両者１０３、１０４により筒部６を挟持して外蓋２に対する螺合を行う。このローレット１１により強く中栓１を保持でき、固く前記螺合を行うことができる。
【００２２】
又、このキャップ３を容器口部から取り去る場合は前記摘持片１０を摘み、これを外方に引張り、弱化ライン８、弱化線９を裂切り、前記突条５を裂切ってそれにより圧接係合を緩め、このキャップ３を容器から取り外すのである。
次に図１３に示すものは、弱化線９形成の実施例を示し、この場合弱化線９は、上壁４の外周端１５と、筒部６上端１６の間に形成された段部１７と、筒部６と上壁４の内側接続部１８の間に、薄肉状に形成されている。但しこの場合図示のように筒部６内側上部は上方程大径となる傾斜３９を有して形成されている。
同図において２８は容器であり、一例として瓶であり、２９は口部、３０は凸条を示す。
次に図１４に示すものは、前記弱化線９の実施例を示し、弱化線９を上壁４に形成したものであり、このように形成してもよい。
【００２３】
【発明の効果】
この発明は前記のように構成されたことにより、筒部６を第二治具の中押え部材１０３と軸方向に割られた外押え部材１０４により挟持することにより、筒部６にローレット１１が形成されているため摘持片１０の存在のため挟持面積が少ないにもかかわらず、この部分は摩擦力が増大させられてあり第二治具を強く把持することができ、中栓１の螺合に充分なトルクを与えることができ、外蓋２との螺合を固く行うことができる。しかも容器及び又はキャップ３回収の際に摘持片１０を用い、弱化ライン８、弱化線９を裂切ることにより、前記突条５を切断できるから、このキャップ３を容器から容易に外し取ることができる。
【００２４】
この発明は、ローレット１１に外押え部材１０４を圧接させ、筒部６の内側を中押え部材１０３を圧接させることにより、中栓１を強く把持でき、このため外蓋２に固く螺合することができる。しかも簡単な構造に形成された摘持片１０を引っ張ることにより、弱化ライン８、弱化線９を裂切ることができ、突条５を切断して、このキャップを容器から容易に外し取ることができる。
【図面の簡単な説明】
【図１】この発明の実施例を示し、中栓の強い把持の可能な分別回収キャップの側面図である。
【図２】図１に示すキャップの断面図である。
【図３】この発明の第２の実施例を示し、図１に相当する図である。
【図４】図３に示すキャップの下面図である
【図５】この発明の第３の実施例を示し、図１に相当する図である。
【図６】図５に示すキャップの断面図である。
【図７】この発明の第４の実施例を示し、図１に相当する図である。
【図８】図７に示すキャップの断面図である。
【図９】この発明の第５の実施例を示し、図１に相当する図である。
【図１０】図９に示すキャップの断面図である。
【図１１】この発明の第６の実施例を示し、図１に相当する図である。
【図１２】図１１に示すキャップの断面図である。
【図１３】この発明の第７の実施例を示し、容器に装着した、中栓の強い把持の可能な分別回収キャップの断面図である。
【図１４】この発明の第８の実施例を示し、図１３に相当する図である。
【図１５】従来の、及びこの発明に用いる、外蓋に対し中栓を螺合させる場合の装置及び方法を示す断面図である。
【図１６】この発明の発明者が、図１８に示すキャップを容器から外し取り易く形成した場合を示すキャップの側面図である。
【図１７】図１６に示すキャップの断面図である。
【図１８】この発明の出願人がさきに意匠登録を行なったキャップの側面図である。
【図１９】図１８に示すキャップの断面図である。
【符号の説明】
１        中栓
２        外蓋
３        キャップ
４        上壁
５        突条
６        筒部
７        下端部
８        弱化ライン
８        弱化ライン
９        弱化線
１０        摘持片
１０ａ      凹状の穴
１０ｂ      基端部
１１        ローレット
１１        ローレット
１２        連結片
１３        摘持片の形成されない部分
１４        スペーサ
１５        外周端
１６        上端
１７        段部
１８        内側接続部
１９        逆溝
２０        はざま
２１        接続部
２２        プルリング
２３        切欠き
２４        裂溝
２５        遮断部
２６        裂取部材
【図１】
0003873175.tif 000002
【図２】
0003873175.tif 000003
【図３】
0003873175.tif 000004
【図４】
0003873175.tif 000005
【図５】
0003873175.tif 000006
【図６】
0003873175.tif 000007
【図７】
0003873175.tif 000008
【図８】
0003873175.tif 000009
【図９】
0003873175.tif 000010
【図１０】
0003873175.tif 000011
【図１１】
0003873175.tif 000012
【図１２】
0003873175.tif 000013
【図１３】
0003873175.tif 000014
【図１４】
0003873175.tif 000015
【図１５】
0003873175.tif 000016
【図１６】
0003873175.tif 000017
【図１７】
0003873175.tif 000018
【図１８】
0003873175.tif 000019
【図１９】
0003873175.tif 000020